(57)【要約】【課題】レンズ交換が可能なシステム一眼レフカメラの焦点調節装置において、近距離被写体を撮影するマクロ撮影の際に焦点調節の使い勝手を改善すること。【解決手段】Ｂμｃｏｍ３８は、撮影光学系１６が含むフォーカスレンズの位置を検出するエンコーダを備えるレンズ駆動機構１８により上記フォーカスレンズを所定方向に移動するとともに、上記撮影光学系１６のデフォーカス量変化方向を検出し、その検出したデフォーカス量変化方向が所定の変化を示す時の上記エンコーダの出力を検出する。【選択図】図１
2006343404.tif 000002
【特許請求の範囲】
【請求項１】
フォーカスレンズを含み、被写体の光学像を結像する撮影レンズと、
上記撮影レンズのデフォーカス量変化方向を検出するデフォーカス量変化方向検出手段と、
上記フォーカスレンズを移動させるフォーカスレンズ移動手段と、
上記フォーカスレンズの位置を検出するフォーカスレンズ位置検出手段と、
上記フォーカスレンズ移動手段により上記フォーカスレンズを所定方向に移動するとともに、上記デフォーカス量変化方向検出手段により上記デフォーカス量変化方向を検出し、その検出したデフォーカス量変化方向が所定の変化を示す時の上記フォーカスレンズ位置検出手段の出力を検出する制御手段と、
を具備することを特徴とする焦点調節装置を有するカメラ。
【請求項２】
上記制御手段により検出された上記デフォーカス量変化方向が所定の変化を示す時の上記フォーカスレンズの位置を記憶する記憶手段を更に具備することを特徴とする請求項１に記載の焦点調節装置を有するカメラ。
【請求項３】
上記撮影レンズの内部に上記記憶手段を設けることを特徴とする請求項２に記載の焦点調節装置を有するカメラ。
【請求項４】
上記デフォーカス量変化方向の所定の変化は、反転であることを特徴とする請求項１に記載の焦点調節装置を有するカメラ。
【請求項５】
被写体の光学像を結像する撮影レンズと、
上記撮影レンズを装着可能な本体と、
上記撮影レンズと上記本体との間に装着可能な中間リングと、
を具備し、
上記撮影レンズは、
フォーカスレンズと、
上記フォーカスレンズを移動させるフォーカスレンズ移動手段と、
上記フォーカスレンズの位置を検出するフォーカスレンズ位置検出手段と、
を有し、
上記本体は、
上記フォーカスレンズのデフォーカス量変化方向を検出するデフォーカス量変化方向検出手段と、
上記フォーカスレンズ移動手段により上記フォーカスレンズを所定方向に移動するとともに、上記デフォーカス量変化方向検出手段により上記デフォーカス量変化方向を検出し、その検出したデフォーカス量変化方向が所定の変化を示す時の上記フォーカスレンズ位置検出手段の出力を検出する制御手段と、
を有することを特徴とする焦点調節装置を有するカメラ。
【請求項６】
上記中間リングは、上記制御手段により検出された上記デフォーカス量変化方向が所定の変化を示す時の上記フォーカスレンズの位置を記憶する記憶手段を有することを特徴とする請求項５に記載の焦点調節装置を有するカメラ。
【請求項７】
フォーカスレンズを含み、被写体の光学像を結像する撮影レンズと、
等倍マクロ領域でのフォーカスレンズ移動禁止領域を記憶する記憶手段と、
上記記憶手段の出力に基づいて上記フォーカスレンズの動作を制御する制御手段と、
を具備することを特徴とする焦点調節装置を有するカメラ。
【請求項８】
フォーカスレンズを含み、被写体の光学像を結像する撮影レンズと、
上記撮影レンズを装着可能な本体と、
上記撮影レンズと上記本体との間に装着可能な中間リングと、
を具備し、
上記中間リングは、上記撮影レンズとの組み合わせで決まる等倍マクロ領域でのフォーカスレンズ移動禁止領域を記憶する記憶手段を有し、
上記撮影レンズは、上記記憶手段の出力に基づいて上記フォーカスレンズの動作を制御する制御手段を有することを特徴とする焦点調節装置を有するカメラ。
【請求項９】
フォーカスレンズを含み、被写体の光学像を結像する撮影レンズと、
上記撮影レンズを装着可能な本体と、
上記撮影レンズと上記本体との間に装着可能な中間リングと、
を具備し、
上記撮影レンズは、
上記中間リングとの組み合わせで決まる等倍マクロ領域でのフォーカスレンズ移動禁止領域を記憶する記憶手段と、
上記記憶手段の出力に基づいてフォーカスレンズの動作を制御する制御手段と、
を有することを特徴とする焦点調節装置を有するカメラ。
【請求項１０】
上記撮影レンズの焦点検出を行う焦点検出手段と、
上記焦点検出手段による焦点検出結果を表示する表示手段と、
を更に具備し、
上記焦点検出手段の出力が上記フォーカスレンズ移動禁止領域内への焦点調節を指示する場合は、上記フォーカスレンズ移動禁止領域内への上記フォーカスレンズの移動を禁止するとともに、上記表示手段により表示を行うことを特徴とする請求項７乃至９の何れかに記載の焦点調節装置を有するカメラ。
【発明の詳細な説明】
【技術分野】
【０００１】
本発明は、レンズ交換が可能なシステム一眼レフカメラに係り、特に、焦点調節装置を有するカメラに関する。
【背景技術】
【０００２】
レンズ交換が可能なシステム一眼レフカメラの焦点調節装置が例えば特許文献１等に開示されている。
【特許文献１】特開平９−２１１６４９号公報
【発明の開示】
【発明が解決しようとする課題】
【０００３】
上記特許文献１等に開示のレンズ交換が可能なシステム一眼レフカメラの焦点調節装置は、近距離被写体に対して、オートフォーカス（以下、ＡＦと略記する。）を行い撮影するマクロ撮影が可能である。マクロ撮影の中でも等倍マクロ撮影と呼ばれる、被写体像を実物大の大きさで撮影するものがある。
【０００４】
等倍マクロ撮影の場合は、以下のような現象が発生することが知られている。  
例えば、合焦状態からフォーカスレンズを繰り出していくと、同一被写体に対してデフォーカス量は負（前ピン）方向に変化するのが普通であるが、等倍マクロ付近ではデフォーカス量が正（後ピン）方向に変化する。
【０００５】
このような現象が発生する等倍マクロ撮影において、通常のＡＦ動作を行うと以下のような問題がある。
【０００６】
図１２（Ａ）は一例として、等倍マクロ領域付近における撮影レンズのフォーカスレンズ繰出し量とデフオーカス量の関係を示している。また、図１２（Ｂ）は、フォーカスレンズ繰出し量と撮影倍率の関係を示している。  
同図に示すように、デフォーカス量が０である合焦状態Ａ点からフォーカスレンズを繰出していくと、デフォーカス量は負の方向に変化する。  
ところが、デフォーカス量はＣ点にてピークを示し、その後はデフォーカス量の変化は正の方向となり、Ｂ点においてＡ点とは異なる撮影倍率（等倍）で再び合焦となる。  
このような現象が発生するため、Ｃ点からＢ点の区間ではＡＦ動作が不可能となり、非常に使い勝手が悪いことになる。
【０００７】
また、フォーカスレンズがＢ点にある場合にＡＦ動作を行った場合、ファインダを観察していると、最初にピントが合っている（Ｂ点）状態から一旦ピントがぼけてからＣ点を通過してＡ点に達して最初とは異なる倍率で合焦するという違和感のあるＡＦ動作を行う。
【０００８】
上記のように使い勝手が悪い点を改善するようなカメラ等の装置は、未だ提案されていない。
【０００９】
本発明は、上記の点に鑑みてなされたもので、レンズ交換が可能なシステム一眼レフカメラにおいて、近距離被写体を撮影するマクロ撮影の際に焦点調節の使い勝手を改善することが可能な焦点調節装置を有するカメラを提供することを目的とする。
【課題を解決するための手段】
【００１０】
本発明の焦点調節装置を有するカメラの第１の態様は、
フォーカスレンズを含み、被写体の光学像を結像する撮影レンズと、
上記撮影レンズのデフォーカス量変化方向を検出するデフォーカス量変化方向検出手段と、
上記フォーカスレンズを移動させるフォーカスレンズ移動手段と、
上記フォーカスレンズの位置を検出するフォーカスレンズ位置検出手段と、
上記フォーカスレンズ移動手段により上記フォーカスレンズを所定方向に移動するとともに、上記デフォーカス量変化方向検出手段により上記デフォーカス量変化方向を検出し、その検出したデフォーカス量変化方向が所定の変化を示す時の上記フォーカスレンズ位置検出手段の出力を検出する制御手段と、
を具備することを特徴とする。
【００１１】
また、本発明の焦点調節装置を有するカメラの第２の態様は、
被写体の光学像を結像する撮影レンズと、
上記撮影レンズを装着可能な本体と、
上記撮影レンズと上記本体との間に装着可能な中間リングと、
を具備し、
上記撮影レンズは、
フォーカスレンズと、
上記フォーカスレンズを移動させるフォーカスレンズ移動手段と、
上記フォーカスレンズの位置を検出するフォーカスレンズ位置検出手段と、
を有し、
上記本体は、
上記フォーカスレンズのデフォーカス量変化方向を検出するデフォーカス量変化方向検出手段と、
上記フォーカスレンズ移動手段により上記フォーカスレンズを所定方向に移動するとともに、上記デフォーカス量変化方向検出手段により上記デフォーカス量変化方向を検出し、その検出したデフォーカス量変化方向が所定の変化を示す時の上記フォーカスレンズ位置検出手段の出力を検出する制御手段と、
を有することを特徴とする。
【００１２】
また、本発明の焦点調節装置を有するカメラの第３の態様は、
フォーカスレンズを含み、被写体の光学像を結像する撮影レンズと、
等倍マクロ領域でのフォーカスレンズ移動禁止領域を記憶する記憶手段と、
上記記憶手段の出力に基づいて上記フォーカスレンズの動作を制御する制御手段と、
を具備することを特徴とする。
【００１３】
また、本発明の焦点調節装置を有するカメラの第４の態様は、
フォーカスレンズを含み、被写体の光学像を結像する撮影レンズと、
上記撮影レンズを装着可能な本体と、
上記撮影レンズと上記本体との間に装着可能な中間リングと、
を具備し、
上記中間リングは、上記撮影レンズとの組み合わせで決まる等倍マクロ領域でのフォーカスレンズ移動禁止領域を記憶する記憶手段を有し、
上記撮影レンズは、上記記憶手段の出力に基づいて上記フォーカスレンズの動作を制御する制御手段を有することを特徴とする。
【００１４】
また、本発明の焦点調節装置を有するカメラの第５の態様は、
フォーカスレンズを含み、被写体の光学像を結像する撮影レンズと、
上記撮影レンズを装着可能な本体と、
上記撮影レンズと上記本体との間に装着可能な中間リングと、
を具備し、
上記撮影レンズは、
上記中間リングとの組み合わせで決まる等倍マクロ領域でのフォーカスレンズ移動禁止領域を記憶する記憶手段と、
上記記憶手段の出力に基づいてフォーカスレンズの動作を制御する制御手段と、
を有することを特徴とする。
【発明の効果】
【００１５】
本発明によれば、レンズ交換が可能なシステム一眼レフカメラにおいて、近距離被写体を撮影するマクロ撮影の際に焦点調節の使い勝手を改善することが可能な焦点調節装置を有するカメラを提供することができる。
【００１６】
また、等倍マクロ撮影において、ＡＦ不能なレンズ位置領域でのＡＦを禁止したり、撮影者にＡＦ不能状態を告知したりするので使い、勝手が向上する焦点調節装置を有するカメラを提供することができる。
【発明を実施するための最良の形態】
【００１７】
以下、本発明を実施するための最良の形態を、図面を参照して説明する。
【００１８】
［第１実施形態］  
図１は、本発明の第１実施形態に係る焦点調節装置を有するカメラとしてのデジタルカメラ（以下、単にカメラと略記する。）１０のシステム構成を示すブロック図であり、図２は、該カメラ１０の構成を示すために、カメラ本体の一部を切断して、その内部構成を概略的に示した斜視図である。
【００１９】
このカメラ１０は、それぞれが別体に構成されるカメラ本体１２と交換撮影レンズであるレンズ鏡筒１４とからなり、このカメラ本体１２及びレンズ鏡筒１４の両者は、互いに着脱自在に構成されてなるものである。
【００２０】
そして、レンズ鏡筒１４は、フォーカスレンズを含む複数のレンズでなる撮影光学系１６や、レンズ駆動機構１８等を内部に保持して構成されている。撮影光学系１６は、被写体からの光束を透過させることによって、当該被写光束により形成される被写体の像を所定の位置（撮像素子２０の光電変換面上）に結像せしめるように、例えば、複数の光学レンズ等によって構成されるものである。このレンズ鏡筒１４は、カメラ本体１２の前面に向けて突出するように配設されている。
【００２１】
また、カメラ本体１２は、内部に各種の構成部材等を備えて構成され、かつ撮影光学系１６を保持するレンズ鏡筒１４を着脱自在となるように配設するための連結部材である撮影光学系装着部２２をその前面に備えて構成されてなるいわゆる一眼レフレックス方式のカメラである。つまり、カメラ本体１２の前面側の略中央部には、被写体光束を当該カメラ本体１２の内部へと導き得る所定の口径を有する露光用開口が形成されており、この露光用開口の周縁部に撮影光学系装着部２２が形成されている。
【００２２】
そして、このカメラ本体１２の外面側には、その前面に上述の撮影光学系装着部２２が配設されているほか、上面部や背面部等の所定の位置にカメラ本体１２を動作させるための各種の操作部材、例えば撮影動作を開始せしめるための指示信号等を発生させるためのレリーズボタン２４等が配設されている。
【００２３】
このカメラ本体１２の内部には、各種の構成部材、例えば、いわゆる観察光学系を構成するファインダ装置２６と、撮像素子２０の光電変換面への被写体光束の照射時間等を制御するシャッタ機構等を備えたシャッタ部２８と、被写体像に対応した画像信号を得る撮像素子２０及びこの撮像素子２０の光電変換面の前面側の所定の位置に配設され、当該光電変換面への塵挨等の付着を予防する防塵部材である防塵フィルタ（防塵ガラスともいう）３０等を含む撮像ユニット３２と、電気回路を構成する各種の電気部材が実装される主回路基板３４を始めとした複数の回路基板（図２では主回路基板３４のみを図示している）等が、それぞれ所定の位置に配設されている。
【００２４】
上記ファインダ装置２６は、撮影光学系１６を透過した被写体光束の光軸を折り曲げて観察光学系の側へと導き得るように構成される反射鏡２６Ａ、この反射鏡２６Ａから出射する光束を受けて正立正像を形成するペンタプリズム２６Ｂ、このペンタプリズム２６Ｂにより形成される像を拡大して観察するのに最適な形態の像を結像させる接眼レンズ２６Ｃ、等によって構成されている。
【００２５】
ここで、反射鏡２６Ａは、撮影光学系１６の光軸から退避する位置と当該光軸上の所定の位置との間で移動自在に構成され、通常状態においては、撮影光学系１６の光軸上において当該光軸に対して所定の角度、例えば、角度４５度を有して配置されている。これにより、撮影光学系１６を透過した被写体光束は、当該カメラ１０が通常状態にあるときには、該反射鏡２６Ａによってその光軸が折り曲げられて、当該反射鏡２６Ａの上方に配置されるペンタプリズム２６Ｂの側へと反射されるようになっている。一方、本カメラ１０が撮影動作の実行中においては、当該反射鏡２６Ａは撮影光学系１６の光軸から退避する所定の位置に移動するようになっており、これによって、被写体光束は、撮像素子側へと導かれる。
【００２６】
また、上記シャッタ部２８は、例えば、フォーカルプレーン方式のシャッタ機構やその駆動回路等、従来のカメラ等において一般的に利用されているものと同様のものが適用される。
【００２７】
上記レンズ鏡筒１４の制御は、レンズ制御用マイクロコンピュータ（以下、Ｌμｃｏｍと称する。）３６が行う。また、カメラ本体１２の制御は、ボデイ制御用マイクロコンピュータ（以下、Ｂμｃｏｍと称する。）３８が行う。なお、これらＬμｃｏｍ３６とＢμｃｏｍ３８とは、合体時において通信コネクタ４０を介して通信可能に電気的接続がなされる。そして、この場合、カメラシステムとしてＬμｃｏｍ３６がＢμｃｏｍ３８に従属的に協働しながら稼動するようになっている。
【００２８】
また、レンズ鏡筒１４内には、上述したように、撮影光学系１６とレンズ駆動機構１８とが設けられており、撮影光学系１６は、レンズ駆動機構１８内に在る図示しないＤＣモータによって駆動される。また更に、レンズ鏡筒１４内には、絞り４２が設けられており、この絞り４２は、絞り駆動機構４４内に在る図示しないステッピングモータによって駆動される。  
Ｌμｃｏｍ３６は、Ｂμｃｏｍ３８からの指令に従って、これらの各モータを制御する。
【００２９】
また、カメラ本体１２内には、上述した反射鏡２６Ａ、ペンタプリズム２６Ｂ、接眼レンズ２６Ｃに加えて、それらと共に一眼レフレックス方式の構成部材であるサブミラー４６と、該サブミラー４６からの反射光束を受けて自動測距するためのＡＦセンサユニット４８とが設けられている。
【００３０】
また、上記ＡＦセンサユニット４８を駆動制御するＡＦセンサ駆動回路５０と、上記反射鏡２６Ａを駆動制御するミラー駆動機構５２と、上記シャッタ部２８の先幕と後幕を駆動するためのばね力をチャージするシャッタチャージ機構５４と、それら先幕と後幕の動きを制御するシャッタ制御回路５６と、上記ペンタプリズム２６Ｂからの光束に基づき測光処理する測光回路５８とが設けられている。
【００３１】
光軸上には、上記撮影光学系１６を通過した被写体像を光電変換するための上記撮像素子２０が光電変換素子として設けられている。この場合、この撮像素子２０は、該撮像素子２０と撮影光学系１６との間に配設された光学素子としての透明なガラス部材でなる上記防塵フィルタ３０によって保護されている。
【００３２】
そして、この防塵フィルタ３０を所定の周波数で振動させるために、圧電素子６０がその防塵フィルタ３０の周縁部に取り付けられている。また、この圧電素子６０は２つの電極を有しており、この圧電素子６０が防塵フィルタ駆動回路６２によって防塵フィルタ３０を振動させ、そのガラス表面に付着していた塵を除去できるように構成されている。
【００３３】
なお、撮像素子２０の周辺の温度を測定するために、防塵フィルタ３０の近傍には、温度測定回路６４が設けられている。
【００３４】
このカメラ１０には、また、撮像素子２０に接続されたインターフェイス回路６６と、液晶モニタ６８と、記憶領域として設けられたＳＤＲＡＭ７０と、ＦｌａｓｈＲＯＭ７２及び記録メディア７４などを利用して画像処理する画像処理コントローラ７６とが設けられ、電子撮像機能と共に電子記録表示機能を提供できるように構成されている。
【００３５】
その他の記憶領域としては、カメラ制御に必要な所定の制御パラメータを記憶する、例えば、ＥＥＰＲＯＭからなる不揮発性メモリ７８が、Ｂμｃｏｍ３８からアクセス可能に設けられている。
【００３６】
また、Ｂμｃｏｍ３８には、当該カメラの動作状態を表示出力によってユーザへ告知するための動作表示用ＬＣＤ８０と、カメラ操作スイッチ（ＳＷ）８２とが設けられている。上記カメラ操作ＳＷ８２は、例えば、レリーズＳＷ、モード変更ＳＷ、メニュー設定ＳＷ及びパワーＳＷ等、当該カメラを操作するために必要な操作釦を含むスィッチ群である。
【００３７】
さらに、このカメラ１０には、電源としての電池８４と、この電源の電圧を、当該カメラ１０を構成する各回路ユニットが必要とする電圧に変換して供給する電源回路８６が設けられている。
【００３８】
次に、上述したように構成されるカメラシステムの動作について説明する。  
このカメラシステム各部は、次のように稼動する。
【００３９】
まず、画像処理コントローラ７６は、Ｂμｃｏｍ３８の指令に従ってインターフェイス回路６６を制御して撮像素子２０から画像データを取り込む。この画像データは、画像処理コントローラ７６でビデオ信号に変換され、液晶モニタ６８にて出力表示される。ユーザは、この液晶モニタ６８の表示画像から、撮影した画像イメージ確認することができる。
【００４０】
ＳＤＲＡＭ７０は、画像データの一時的保管用メモリであり、画像データが変換される際のワークエリアなどに使用される。また、この画像データはＪＰＥＧデータに変換された後には記録メディア７４に保管されるように設定されている。
【００４１】
撮像素子２０は、前述したように透明なガラス部材でなる防塵フィルタ３０によって保護されている。この防塵フィルタ３０の周縁部にはそのガラス面を加振するための圧電素子６０が配置されており、この圧電素子６０は防塵フィルタ駆動回路６２によって駆動される。撮像素子２０及び圧電素子６０は、防塵フィルタ３０を一面とし、かつ破線で示すような枠体によって囲まれたケース内に一体的に収納されることが、防塵のためにはより好ましい。
【００４２】
ところで、通常、温度はガラス製の物材の弾性係数に影響し、その固有振動数を変化させる要因の１つであるため、運用時にその温度を計測してその固有振動数の変化を考慮しなければならない。稼動中に温度上昇が激しい撮像素子２０の前面を保護するため設けられた防塵フィルタ３０の温度変化を測定して、そのときの固有振動数を予想するようにしたほうが好ましい。そこで、このカメラ１０では、上記温度測定回路６４に接続されたセンサ（不図示）が、撮像素子２０の周辺温度を測定するため設けられている。なお、そのセンサの温度測定ポイントは、防塵フィルタ３０の振動面の極近傍に設定されるのが好ましい。
【００４３】
ミラー駆動機構５２は、反射鏡２６ＡをＵＰ位置とＤＯＷＮ位置へ駆動するための機構であり、この反射鏡２６ＡがＤＯＷＮ位置にあるとき、撮影光学系１６からの光束はＡＦセンサユニット４８側とペンタプリズム２６Ｂ側へと分割されて導かれる。
【００４４】
ＡＦセンサユニット４８内のＡＦセンサからの出力は、ＡＦセンサ駆動回路５０を介してＢμｃｏｍ３８へ送信されて周知の測距処理が行われる。
【００４５】
また、ペンタプリズム２６Ｂに隣接する接眼レンズ２６Ｃからはユーザが被写体を目視できる一方、このペンタプリズム２６Ｂを通過した光束の一部は測光回路５８内のホトセンサ（不図示）へ導かれ、ここで検知された光量に基づき周知の測光処理が行われる。
【００４６】
図３は、このカメラ１０のＢμｃｏｍ３８で実行されるメインフローのフローチャートである。即ち、該カメラ１０に電源が投入されると、Ｂμｃｏｍ３８によって本メインフローが開始される。
【００４７】
まず、該カメラ１０のシステム起動時のシステム全体の初期設定を行う（ステップＳ１０）。
【００４８】
その後、カメラ操作ＳＷ８２の状態を検出する（ステップＳ１２）。ここで、カメラ操作ＳＷ８２の一つであるモード変更ＳＷ（不図示）の状態変化が上記ステップＳ１２で検出されたか否かを判別し（ステップＳ１４）、それが検出された場合には、操作されたＳＷに連動してカメラの動作モードを変更する（ステップＳ１６）。そして、その変更したカメラ動作モードに応じた情報を動作表示用ＬＣＤ８０へ表示出力した後（ステップＳ１８）、上記ステップＳ１２へ戻る。
【００４９】
例えば、ＡＦ／ＭＦ切換えＳＷ（不図示）を操作してＡＦモードからＭＦ（マニュアルフォーカス）モードに切り換えると、撮影者がレンズ鏡筒１４のピントリングをマニユアルで操作してフォーカシングを行うＭＦ動作が可能となる。また、動作表示用ＬＣＤ８０の表示がＡＦからＭＦに切り換わる。
【００５０】
これに対して、上記ステップＳ１４においてモード変更ＳＷの状態変化が検出されなかったと判定した場合には、更に、カメラ操作ＳＷ８２の一つである１ｓｔレリーズＳＷ（不図示）がオンされているかを判別する（ステップＳ２０）。即ち、上記レリーズボタン２４は、その第１段目の押し込みに応じて１ｓｔレリーズＳＷがオンし、第２段目の押し込みで２ｎｄレリーズＳＷ（不図示）がオンする、２段押しのボタンとなっている。従ってここでは、レリーズボタン２４の第１段目の押し込み操作がなされたか否かを判別するものである。この１ｓｔレリーズＳＷがオンされていなければ、上記ステップＳ１２に戻る。
【００５１】
１ｓｔレリーズＳＷのオンが検出されたならば、測光回路５８により被写体輝度を測定し、ストロボ発光有無の判定やＴｖ値とＡｖ値の算出を行う（ステップＳ２２）。そして、ＡＦセンサユニット４８を制御して焦点ズレ量を検出し、この焦点ズレ量に基づき、レンズ鏡筒１４のレンズ駆動機構１８によるフォーカス駆動制御を行うサブルーチン「ＡＦ」を実行する（ステップＳ２４）。このサブルーチン「ＡＦ」の詳細については後述する。
【００５２】
このサブルーチン「ＡＦ」の実行後、カメラ操作ＳＷ８２の一つである２ｎｄレリーズＳＷが操作されたか否かを判別する（ステップＳ２６）。この２ｎｄレリーズＳＷがオンされていなければ、上記ステップＳ１２に戻る。
【００５３】
これに対して、２ｎｄレリーズＳＷがオンされていれば、レンズ鏡筒１４内の絞り駆動機構４４による絞り４２の制御を行う（ステップＳ２８）。そして、クイックリターンミラー（反射鏡２６Ａ）をミラー駆動機構５２により撮影時位置に駆動するミラーアップ制御を行い（ステップＳ３０）、シャッタ部２８の先幕を走行させてシャッタを開口する制御を行って（ステップＳ３２）、撮像素子２０の撮像動作（電荷蓄積動作）を行う（ステップＳ３４）。
【００５４】
その後、シャッタ部２８の後幕を走行させてシャッタを閉じる制御を行い（ステップＳ３６）、クイックリターンミラー（反射鏡２６Ａ）をミラー駆動機構５２により撮影準備位置に駆動するミラーダウン制御、及びシャッタチャージ機構５４によるシャッタチャージ制御を行い（ステップＳ３８）、更に、レンズ鏡筒１４の絞り４２を開放する制御を行う（ステップＳ４０）。
【００５５】
そして、画像処理コントローラ７６によって、取得した画像データの記録動作を行う（ステップＳ４２）。  
以上でメインフローの動作を終了して上記ステップＳ１２に戻り、同様の動作を繰り返す。
【００５６】
図４は、上記ステップＳ２４で実行されるサブルーチン「ＡＦ」の詳細を示すフローチャートである。
【００５７】
このサブルーチン「ＡＦ」においては、まず、ＡＦセンサユニット４８を制御してレンズ鏡筒１４内の撮影光学系１６のデフォーカス量を検出する焦点検出動作を行う（ステップＳ５０）。
【００５８】
そして、その焦点検出の結果が検出不能か否かを判別し（ステップＳ５２）、検出不能の場合は、ファインダ内表示やその他の表示による検出不能表示を行って（ステップＳ５４）、このサブルーチン「ＡＦ」を終了する。
【００５９】
これに対して、焦点検出の結果が検出可能の場合には、その焦点検出の結果が、所定のデフォーカス量の範囲内である合焦か否かを判別する（ステップＳ５６）。
【００６０】
ここで、非合焦の場合には、フォーカスレンズ位置が等倍マクロ領域付近か否かを判別する（ステップＳ５８）。これは、レンズ鏡筒１４のレンズ駆動機構１８に含まれるエンコーダ（不図示）よりフォーカスレンズ位置を読み取り、等倍マクロ領域付近に位置するか否を判別することにより行われる。
【００６１】
そして、フォーカスレンズ位置が等倍マクロ領域付近でない場合には、上記ステップＳ５０での焦点検出により求められたデフォーカス量に基づいて撮影光学系１６のフォーカス駆動を実行する（ステップＳ６０）。そして、上記ステップＳ５０に戻る。
【００６２】
一方、フォーカスレンズ位置が等倍マクロ領域付近である場合には、変極点（図１２のＣ点）を既に検出しているか否かを判別する（ステップＳ６２）。ここで、まだ変極点を検出していない場合には、詳細は後述するサブルーチン「変極点検出」を実行して、変極点を求める（ステップＳ６４）。そしてその後、上記ステップＳ５０に戻る。
【００６３】
また、既に変極点を検出している場合には、その検出された変極点と現在のフォーカスレンズ位置とを比較して、現在のフォーカスレンズ位置が変極点位置よりも近距離側に位置するか否かを判別する（ステップＳ６６）。ここで、近距離側ではない場合は、上記ステップＳ６０に進んで、撮影光学系１６のフォーカス駆動を実行してから、上記ステップＳ５０に戻る。
【００６４】
これに対して、現在のフォーカスレンズ位置が変極点位置よりも近距離側に位置する場合には、ファインダ内表示やその他の表示によって、等倍マクロ領域に対応するＡＦ不能表示を行って（ステップＳ６８）、このサブルーチン「ＡＦ」を終了する。これは、等倍マクロ領域においてＡＦができないという意味を示す表示であり、上記ステップＳ５４における検出不能表示とは異なる形態、例えばファインダ内ＬＥＤ表示の異なる周期での点滅等の表示を行う。この表示は、撮影者に、ＡＦ不能のためＭＦにてフォーカシングを行うことを促す意味を持つ。
【００６５】
上記の処理を繰り返し、上記ステップＳ５６において合焦と判別されたならば、ファインダ内表示やその他の表示による合焦表示を行って（ステップＳ７０）、このサブルーチン「ＡＦ」を終了する。
【００６６】
図５は、上記ステップＳ６４で実行されるサブルーチン「変極点検出」の詳細を示すフローチャートである。
【００６７】
このサブルーチン「変極点検出」においては、まず、撮影光学系１６のフォーカスレンズを所定量だけ繰出す動作を行う（ステップＳ８０）。そして、ＡＦセンサユニット４８を制御して撮影光学系１６のデフォーカス量を検出する焦点検出動作を行い、デフォーカス量を求める（ステップＳ８２）。
【００６８】
ここで、前回のフォーカスレンズ位置におけるデフォーカス量と比較して、デフォーカス量の変化方向が負か否か判別する（ステップＳ８４）。
【００６９】
変化方向が負の場合は、上記ステップＳ８０のフォーカスレンズ所定量繰出し動作及び上記ステップＳ８２の焦点検出動作の実行回数をカウントし、所定回数に達したか否かを判別する（ステップＳ８６）。ここで、まだ所定回数に達していない場合には、上記ステップＳ８０に戻って、上記フォーカスレンズ所定量繰出し動作（ステップＳ８０）及び焦点検出動作（ステップＳ８２）を繰り返し実行する。一方、所定回数に達した場合には、該Ｂμｃｏｍ３８内の不図示メモリ又はＳＤＲＡＭ７０等に、変極点なしのフラグをセットして（ステップＳ８８）、このサブルーチン「変極点検出」を終了する。
【００７０】
また、上記ステップＳ８４においてデフォーカス量の変化方向が負でないと判別された場合には、変極点（図１２のＣ点）である現在のフォーカスレンズ位置を、該Ｂμｃｏｍ３８内の不図示メモリ又はＳＤＲＡＭ７０等に記憶する（ステップＳ９０）。
【００７１】
その後、撮影光学系１６のフォーカスレンズを所定量だけ繰出す動作を行い（ステップＳ９２）、焦点検出動作を行って、デフォーカス量を求める（ステップＳ９４）。そして、前回のレンズ位置におけるデフォーカス量と比較して、デフォーカス量の変化方向が正か否かを判別する（ステップＳ９６）。
【００７２】
ここで、変化方向が正ではない場合には、検出ミスがあったとして、再度、本サブルーチン「変極点検出」処理を実行する。そのため、本サブルーチンを実行する前のレンズ位置である初期位置に、フォーカスレンズ位置を戻す駆動を行った後（ステップＳ９８）、上記ステップＳ８０に戻る。
【００７３】
これに対して、デフォーカス量の変化方向が正であると判別された場合には、更に、フォーカスレンズが最至近位置に達したか否かを判定する（ステップＳ１００）。まだ、最至近位置に達していない場合には、上記ステップＳ９２に戻って、フォーカスレンズの繰出し動作（ステップＳ９２）及び焦点検出動作（ステップＳ９４）を繰り返し実行する。
【００７４】
そして、フォーカスレンズが最至近位置に達したと判別した場合には、本サブルーチンを実行する前のレンズ位置である初期位置に、フォーカスレンズ位置を戻す駆動を行って（ステップＳ１０２）、このサブルーチン「変極点検出」の処理を終了する。
【００７５】
以上のように、等倍マクロ領域付近におけるＡＦ動作が正常にできない領域（図１２のＣ点からＢ点）では、変極点であるＣ点のフォーカスレンズ位置を検出して記憶しておき、その記憶したＣ点よりもフォーカスレンズを繰り出さないように禁止領域を設定するので、撮影者が違和感を覚えることがなくなる。
【００７６】
また、フォーカスレンズが変極点付近に位置する場合は、ファインダ内表示等で撮影者に知らせるので、Ｂ点で合焦させたい場合は、ＭＦモードに切り換えて合焦させることが可能となり、使い勝手が良い。
【００７７】
［第２実施形態］  
中間リング（または接写リング）と呼ばれ、カメラ本体１２と撮影光学系１６を含むレンズ鏡筒１４との間に装着して使用し、撮影光学系１６のみが装着された時よりもさらに近距離を撮影可能とする効果を有するアクセサリが一般に知られている。
【００７８】
このような中間リングをカメラ本体１２と撮影光学系１６（レンズ鏡筒１４）との間に装着して使用することにより、バックフオーカスを延ばして撮影光学系１６の撮影可能距離範囲を近距離側にシフトすることができるので、マクロ領域での撮影が可能となる。
【００７９】
さらに、撮影光学系１６の種類がマクロ系であれば、等倍マクロ領域での撮影が可能となる。
【００８０】
本第２実施形態は、上記のような中間リングを使用する場合に適用したものである。本実施形態に係る焦点調節装置を有するカメラ１０の具体的なシステム構成は、上記第１実施形態で説明した図１と同様であるので、その説明は省略する。
【００８１】
図６は、このカメラ１０のＢμｃｏｍ３８で実行されるメインフローのフローチャートである。即ち、該カメラ１０に電源が投入されると、Ｂμｃｏｍ３８によって本メインフローが開始される。
【００８２】
まず、該カメラ１０のシステム起動時のシステム全体の初期設定を行う（ステップＳ１０）。
【００８３】
その後、本実施形態においては、撮影光学系１６を有するレンズ鏡筒１４（中間リング含む）の装着検出を実行する（ステップＳ１１０）。そして、レンズ鏡筒１４（中間リング含む）が装着されたか否かを判別する（ステップＳ１１２）。
【００８４】
ここで、それが装着されたと判別した場合には、該Ｂμｃｏｍ３８内の不図示メモリ又はＳＤＲＡＭ７０等に設けたレンズフラグをセットする（ステップＳ１１４）。そして、レンズ鏡筒１４と通信を行い、必要なデータを取得する。その後、中間リングが装着されているか否かを判別し（ステップＳ１１６）、装着されている場合には、該Ｂμｃｏｍ３８内の不図示メモリ又はＳＤＲＡＭ７０等に設けた中間リングフラグをセットする（ステップＳ１１８）。そして、その中間リングとの通信を行い、中間リング内の不図示メモリ素子（ＥＥＰＲＯＭ等）に記憶されているデータを読み出す（ステップＳ１２０）。その後、上記第１実施形態で説明したようなステップＳ１２の処理に進む。
【００８５】
また、上記ステップＳ１１６で中間リングが装着されていないと判別された場合には、上記中間リングフラグをクリアする（ステップＳ１２２）。その後、上記第１実施形態で説明したようなステップＳ１２の処理に進む。
【００８６】
一方、上記ステップＳ１１２においてレンズ鏡筒１４（中間リング含む）が装着されていないと判別した場合には、その撮影光学系１６を含むレンズ鏡筒１４（中間リング含む）が外されたのか否かを判別し（ステップＳ１２４）、外されていない場合には、上記第１実施形態で説明したようなステップＳ１２の処理に進む。また、外された場合には、レンズ鏡筒１４が装着されていないので、上記レンズフラグをクリアしてから（ステップＳ１２６）、上記第１実施形態で説明したようなステップＳ１２の処理に進む。
【００８７】
以降のステップＳ１２乃至ステップＳ４２の処理は、ステップＳ１８及びステップＳ４２の処理後の戻り先、ステップＳ２０及びステップＳ２６でＮＯと判別されたときの戻り先がステップＳ１１０となることと、ステップＳ２４で実行されるサブルーチン「ＡＦ」の内容が異なることを除いては、上記第１実施形態と同様であるので、その説明は省略する。
【００８８】
図７は、本実施形態において上記ステップＳ２４で実行されるサブルーチン「ＡＦ」の詳細を示すフローチャートである。上記第１実施形態と異なる部分のみ説明を行い、その他の部分については説明を省略する。
【００８９】
即ち、本実施形態におけるサブルーチン「ＡＦ」では、ステップＳ５６で非合焦と判別されたときに、図６のメインフロー中で設定されている中間リングフラグを参照し（ステップＳ１３０）、それがクリアされていればステップＳ５８に進む。
【００９０】
これに対して、中間リングフラグがセットされていれば、撮影倍率を計算してから（ステップＳ１３２）、ステップＳ５８に進む。この倍率計算は、中間リングの種類に応じたリングの長さと、レンズ鏡筒１４のレンズ駆動機構１８に含まれるエンコーダよりフォーカスレンズ位置を読み取って計算して求める。
【００９１】
そして、ステップＳ５８では、上記撮影倍率によって等倍マクロ領域付近（撮影倍率が１付近）か否かを判別することになる。
【００９２】
以上のようにして、中間リングを使用する場合においても、上記第１実施形態と同様の効果を得ることができる。
【００９３】
［第３実施形態］  
本発明の第３実施形態に係る焦点調節装置を有するカメラ１０は、上記第２実施形態と同様に中間リングを使用するものであり、図８（Ａ）にブロック図を示す。
【００９４】
即ち、このカメラ１０は、レンズ鏡筒１４に、制御手段として機能するＬμｃｏｍ３６とフォーカスレンズ移動手段として機能するレンズ駆動機構１８に加えて、記憶手段としてのメモリ素子（ＥＥＰＲＯＭ等）８８が含まれている。
【００９５】
カメラ本体１２に対して中間リング９０とレンズ鏡筒１４が装着されると、カメラ本体１２内のＢμｃｏｍ３８は、中間リング９０と通信を行うことで、それが装着されていることを検出する。このＢμｃｏｍ３８の検出結果は、レンズ鏡筒１４内のＬμｃｏｍ３６に出力される。Ｌμｃｏｍ３６は、メモリ素子８８に予め記憶されている変極点位置の情報を取得する。この変極点位置データは、当該レンズ鏡筒１４（交換撮影レンズ）の製造時においてメモリ素子８８に電気的に書き込まれているものである。その製造時の測定方法は、上記第２実施形態の図７に示す方法で変極点を求め、メモリ素子８８に書き込めば良い。
【００９６】
そして、Ｌμｃｏｍ３６は、撮影光学系１６のフォーカスレンズの位置情報と上記メモリ素子８８から取得した変極点位置との比較により、レンズ駆動機構１８を制御する。即ち、等倍マクロ付近においては、ＡＦ動作による変極点位置より至近側へのフォーカスレンズを移動する動作を禁止する。
【００９７】
カメラ本体１２とレンズ鏡筒１４のその他の構成は上記第１実施形態のそれ（図１）と同様である。また、メインフローは上記第２実施形態のそれ（図６）と同様である。よって、それらの説明は省略する。
【００９８】
図９は、本実施形態において上記ステップＳ２４でＢμｃｏｍ３８によって実行されるサブルーチン「ＡＦ」の詳細を示すフローチャートである。
【００９９】
即ち、本実施形態においては、Ｂμｃｏｍ３８は、まず、ＡＦセンサユニット４８を制御してレンズ鏡筒１４内の撮影光学系１６のデフォーカス量を検出する焦点検出動作を行う（ステップＳ５０）。そして、その焦点検出の結果が検出不能か否を判別し（ステップＳ５２）、検出不能の場合は、ファインダ内表示やその他の表示による検出不能表示を行って（ステップＳ５４）、このサブルーチン「ＡＦ」を終了する。
【０１００】
これに対して、焦点検出の結果が検出可能の場合には、その焦点検出の結果が、所定のデフォーカス量の範囲内である合焦か否かを判別する（ステップＳ５６）。ここで、合焦と判別されたならば、ファインダ内表示やその他の表示による合焦表示を行って（ステップＳ７０）、このサブルーチン「ＡＦ」を終了する。
【０１０１】
一方、まだ合焦となっていない場合には、上記ステップＳ５０での焦点検出により求められたデフォーカス量に基づいて、レンズ鏡筒１４のフォーカス駆動を行うサブルーチン「フォーカスレンズ駆動」を実行する（ステップＳ１４０）。このサブルーチン「フォーカスレンズ駆動」は、該Ｂμｃｏｍ３８からの指示により、レンズ鏡筒１４内のＬμｃｏｍ３６によって実行されるものであり、そのフローチャートは図１０に示すようになる。
【０１０２】
即ち、Ｌμｃｏｍ３６は、Ｂμｃｏｍ３８との通信によりデフォーカス量と、メインフローの上記ステップＳ１２０で読み出された中間リング９０の種類とを受信する（ステップＳ１５０）。そして、その受信したデフォーカス量に基づいて、フォーカスレンズの駆動量及び駆動方向を算出する（ステップＳ１５２）。
【０１０３】
その後、上記レンズ駆動量及び駆動方向と現在のレンズ位置とからレンズ駆動目標位置を計算すると共に、上記受信した中間リング９０の種類に従って上記メモリ素子８８より変極点位置を読み出し、上記計算したレンズ駆動目標位置がその読み出した変極点位置より近距離側にあるか否かを判別する（ステップＳ１５４）。ここで、レンズ駆動目標位置が上記変極点位置より近距離側にない場合には、レンズ駆動機構１８により、そのレンズ目標位置にフォーカスレンズを駆動して（ステップＳ１５６）、上位のルーチンに戻る。
【０１０４】
一方、上記計算したレンズ駆動目標位置が上記メモリ素子８８に予め記憶されている変極点位置より近距離側にある場合は、レンズ駆動機構１８により、その変極点位置までフォーカスレンズ駆動を行う（ステップＳ１５８）。そして、上記メモリ素子８８に設けた、あるいは上記Ｂμｃｏｍ３８内の不図示メモリ又はＳＤＲＡＭ７０等に設けた、等倍マクロ領域ＡＦ不能フラグを「１」にセットして（ステップＳ１６０）、上位のルーチンに戻る。
【０１０５】
而して、Ｂμｃｏｍ３８は、上記等倍マクロ領域ＡＦ不能フラグの状態を判別することで、フォーカスレンズ合焦位置であるレンズ駆動目標位置が変極点位置（図１２のＣ点）より近距離側にあるか否かを判別することができる（ステップＳ１４２）。ここで、上記等倍マクロ領域ＡＦ不能フラグが「０」の場合、つまりフォーカスレンズ合焦位置が変極点位置よりも近距離側ではない場合は、上記ステップＳ５０に戻って、上記ステップＳ５６にて合焦となるまで焦点調節動作を繰り返す。
【０１０６】
これに対して、上記等倍マクロ領域ＡＦ不能フラグが「１」の場合、つまりフォーカスレンズ合焦位置が変極点位置よりも近距離側にある場合には、ファインダ内表示やその他の表示によって、等倍マクロ領域に対応するＡＦ不能表示を行って（ステップＳ６８）、このサブルーチン「ＡＦ」を終了する。これは、等倍マクロ領域においてＡＦができないという意味を示す表示であり、上記ステップＳ５４における検出不能表示とは異なる形態、例えばファインダ内ＬＥＤ表示の異なる周期での点滅等の表示を行う。この表示は、撮影者に、ＡＦ不能のためＭＦにてフォーカシングを行うことを促す意味を持つ。
【０１０７】
図８（Ｂ）は、上記レンズ鏡筒１４のメモリ素子８８に記憶されている変極点位置データの一例を示す図である。同図に示すように、中間リング９０を装着した時の中間リング９０の種類１，２，…，ｎに応じた複数の変極点位置データＤＬ１，ＤＬ２，…，ＤＬｎが記憶されている。
【０１０８】
Ｂμｃｏｍ３８は、装着されている中間リング９０との通信により中間リング９０の種類を判別し、Ｌμｃｏｍ３６は、図８（Ｂ）のようなメモリ素子８８のデータ群のうちから該当する変極点データを、そのＢμｃｏｍ３８が判別した中間リング９０の種類に従って選択的に読み出して使用する。
【０１０９】
このように、複数種類のレンズ鏡筒１４、中間リング９０に対しても適用することができる。
【０１１０】
新規に発売するレンズ鏡筒１４において本方式を採用すると、このように新たなレンズ鏡筒１４と既に発売している中間リング９０との新たな組み合わせに対応することができ好都合である。
【０１１１】
以上のように、中間リング９０を使用する場合においても、等倍マクロ付近でのＡＦ不能となる変極点より至近側のフォーカスレンズ駆動を禁止し、さらにその状況を撮影者に告知するので、使い勝手が向上する。
【０１１２】
［第４実施形態］  
本第４実施形態は、図１１（Ａ）に示すように、上記第３実施形態においてはレンズ鏡筒１４のメモリ素子８８に記憶していた変極点位置の情報を、中間リング９０に設けたメモリ素子（ＥＥＰＲＯＭ等）９２に記憶しておくようにしたものである。
【０１１３】
即ち、本実施形態においては、カメラ本体１２内のＢμｃｏｍ３８、中間リング９０内のメモリ素子９２、レンズ鏡筒１４内のＬμｃｏｍ３６はそれぞれ相互に通信することが可能であり、命令やデータのやりとりを行うことができる。
【０１１４】
Ｌμｃｏｍ３６は、中間リング９０内のメモリ素子９２に予め記憶されている変極点位置の情報を通信によって取得する。そして、フォーカスレンズの位置情報と変極点位置との比較により、レンズ駆動機構１８を制御する。つまり、フォーカスレンズ位置が変極点位置より近距離側に位置する場合ＡＦ動作を禁止し、レンズ駆動機構１８によるフォーカスレンズの移動を行わない。
【０１１５】
このようにして、等倍マクロ付近においては、ＡＦ動作による変極点位置より近距離側へのフォーカスレンズを移動する動作を禁止する。
【０１１６】
カメラ本体１２とレンズ鏡筒１４のその他の構成は上記第１実施形態のそれ（図１）と同様である。また、メインフローは上記第２実施形態のそれ（図６）と同様である。更に、サブルーチン「ＡＦ」及びサブルーチン「フォーカスレンズ駆動」のフローについても、上記第３実施形態のそれら（図９及び図１０）と同様である。よって、それらの説明は省略する。
【０１１７】
図１１（Ｂ）は、中間リング９０のメモリ素子９２に記憶されている変極点位置データの一例を示す図である。同図に示すように、このメモリ素子９２には、中間リング９０を装着した時のレンズ鏡筒１４の種類１，２，…，ｎに応じた複数の変極点位置データＤＴ１，ＤＴ２，…，ＤＴｎが記憶されている。
【０１１８】
従って、Ｌμｃｏｍ３６は、当該レンズ鏡筒１４に該当する変極点データを、図１１（Ｂ）のような中間リング９０内のメモリ素子９２のデータ群のうちから、選択的に読み出して使用する。
【０１１９】
このように、複数種類のレンズ鏡筒１４、中間リング９０に対しても適用することができる。
【０１２０】
新規に発売する中間リング９０において本方式を採用すると、新たな中間リング９０と既に発売しているレンズ鏡筒１４との新たな組み合わせに対応することができ好都合である。
【０１２１】
以上のように、中間リングを使用する場合であっても、等倍マクロ付近でのＡＦ動作において変極点位置より近距離側のフォーカスレンズ駆動を禁止し、さらにその状況を撮影者に告知するので、使い勝手が向上する。
【０１２２】
また、複数種類の撮影レンズ、中間リングの組み合わせでも同様な効果が得られる。
【０１２３】
以上、述べたように、等倍マクロ領域付近におけるＡＦ動作が正常にできない領域（図１２のＣ点からＢ点）では、変極点であるＣ点のフォーカスレンズ位置を検出し、Ｃ点よりフォーカスレンズを繰出さないように禁止領域を設定するので、撮影者が違和感を覚えることがなくなる。
【０１２４】
また、フォーカスレンズが変極点付近に位置する場合は、ファインダ内表示等で撮影者に知らせるので、Ｂ点で合焦させたい場合は、ＭＦモードに切り換えて合焦させることが可能となり、使い勝手が良い。
【０１２５】
また、中間リングを使用した場合も同様な効果が得ることができる。
【０１２６】
あるいは、製造時に撮影レンズまたは中間リング内に変極点位置を記憶させて、ＡＦ時に変極点より近距離側のフォーカスレンズ駆動を禁止し、さらにその状況を撮影者に告知することができるので、使い勝手が向上する。
【０１２７】
また、複数種類の撮影レンズ、中間リングを組み合わせて使用しても、上記効果を得ることが可能である。
【０１２８】
以上実施形態に基づいて本発明を説明したが、本発明は上述した実施形態に限定されるものではなく、本発明の要旨の範囲内で種々の変形や応用が可能なことは勿論である。
【０１２９】
例えば、本発明の焦点調節装置の実施形態として、撮像素子を有するカメラシステムを例に説明したが、本発明はそれに限定されるものではないことは勿論である。
【図面の簡単な説明】
【０１３０】
【図１】図１は、本発明の第１実施形態に係る焦点調節装置を有するカメラとしてのデジタルカメラのシステム構成を示すブロック図である。
【図２】図２は、第１実施形態に係るカメラの構成を示すために、カメラ本体の一部を切断して、その内部構成を概略的に示した斜視図である。
【図３】図３は、第１実施形態に係るカメラのＢμｃｏｍで実行されるメインフローのフローチャートを示す図である。
【図４】図４は、図３中のサブルーチン「ＡＦ」の詳細を説明するためのフローチャートを示す図である。
【図５】図５は、図４中のサブルーチン「変極点検出」の詳細を説明するためのフローチャートを示す図である。
【図６】図６は、本発明の第２実施形態に係る焦点調節装置を有するカメラのＢμｃｏｍで実行されるメインフローのフローチャートを示す図である。
【図７】図７は、図６中のサブルーチン「ＡＦ」の詳細を説明するためのフローチャートを示す図である。
【図８】図８（Ａ）は本発明の第３実施形態に係る焦点調節装置を有するカメラの特徴部を説明するためのブロック構成図であり、図８（Ｂ）はレンズ鏡筒のメモリ素子に記憶されている変極点位置データの一例を示す図である。
【図９】図９は、第３実施形態に係るカメラにおけるサブルーチン「ＡＦ」の詳細を説明するためのフローチャートを示す図である。
【図１０】図１０は、図９中のサブルーチン「フォーカスレンズ駆動」の詳細を説明するためのフローチャートを示す図である。
【図１１】図１１（Ａ）は本発明の第４実施形態に係る焦点調節装置を有するカメラの特徴部を説明するためのブロック構成図であり、図１１（Ｂ）は中間リングのメモリ素子に記憶されている変極点位置データの一例を示す図である。
【図１２】図１２（Ａ）は等倍マクロ領域付近における撮影レンズのフォーカスレンズ繰出し量とデフオーカス量の関係を示す図であり、図１２（Ｂ）はフォーカスレンズ繰出し量と撮影倍率の関係を示す図である。
【符号の説明】
【０１３１】
１０…カメラ、  １２…カメラ本体、  １４…レンズ鏡筒、  １６…撮影光学系、  １８…レンズ駆動機構、  ２０…撮像素子、  ２２…撮影光学系装着部、  ２４…レリーズボタン、  ２６…ファインダ装置、  ２６Ａ…反射鏡、  ２６Ｂ…ペンタプリズム、  ２６Ｃ…接眼レンズ、  ２８…シャッタ部、  ３０…防塵フィルタ、  ３２…撮像ユニット、  ３４…主回路基板、  ３６…レンズ制御用マイクロコンピュータ（Ｌμｃｏｍ）、  ３８…ボデイ制御用マイクロコンピュータ（Ｂμｃｏｍ）、  ４０…通信コネクタ、  ４２…絞り、  ４４…絞り駆動機構、  ４６…サブミラー、  ４８…ＡＦセンサユニット、  ５０…ＡＦセンサ駆動回路、  ５２…ミラー駆動機構、  ５４…シャッタチャージ機構、  ５６…シャッタ制御回路、  ５８…測光回路、  ６０…圧電素子、  ６２…防塵フィルタ駆動回路、  ６４…温度測定回路、  ６６…インターフェイス回路、  ６８…液晶モニタ、  ７０…ＳＤＲＡＭ、  ７２…ＦｌａｓｈＲＯＭ、  ７４…記録メディア、  ７６…画像処理コントローラ、  ７８…不揮発性メモリ、  ８０…動作表示用ＬＣＤ、  ８２…カメラ操作スイッチ（ＳＷ）、  ８４…電池、  ８６…電源回路、  ８８，９２…メモリ素子、  ９０…中間リング。
【図１】
2006343404.tif 000003
【図２】
2006343404.tif 000004
【図３】
2006343404.tif 000005
【図４】
2006343404.tif 000006
【図５】
2006343404.tif 000007
【図６】
2006343404.tif 000008
【図７】
2006343404.tif 000009
【図８】
2006343404.tif 000010
【図９】
2006343404.tif 000011
【図１０】
2006343404.tif 000012
【図１１】
2006343404.tif 000013
【図１２】
2006343404.tif 000014